(57)【要約】  プラント監視システムは、プラント機器の点検時に測定された複数の測定値を収集するデータ収集装置と、データ収集装置で収集した複数の測定値からトレンドグラフを生成するトレンドグラフ表示部と、を備える。データ収集装置は、複数の測定値を収集する測定値収集部と、複数の測定値が取得された時刻の時刻差が予め定められた指定時間差より小さい場合には複数の測定値に同じイベント番号を付与し、時刻差が指定時間差以上である場合には複数の測定値に異なるイベント番号を付与するように構築されたイベント番号付与部と、複数の測定値とイベント番号とを紐づけた状態で複数の測定値を保存する測定値保存部と、を備える。トレンドグラフ表示部は、測定値を第一軸としイベント番号を第二軸としたグラフに測定値保存部に保存された複数の測定値を描画するように構築される。
2020261383.tif 000002
【特許請求の範囲】
【請求項１】
複数の測定値を収集する測定値収集部と、
前記複数の測定値が取得された時刻の時刻差が予め定められた指定時間差よりも小さい場合には前記複数の測定値に同じイベント番号を付与し、前記時刻差が前記指定時間差以上である場合には前記複数の測定値に異なるイベント番号を付与するように構築されたイベント番号付与部と、
前記複数の測定値と前記イベント番号とを紐づけた状態で前記複数の測定値を保存する測定値保存部と、
を備えるデータ収集装置。
【請求項２】
プラント機器の点検時に測定された複数の測定値を収集するデータ収集装置と、
前記データ収集装置で収集した前記複数の測定値からトレンドグラフを生成するトレンドグラフ表示部と、
を備え、
前記データ収集装置は、
前記複数の測定値を収集する測定値収集部と、
前記複数の測定値が取得された時刻の時刻差が予め定められた指定時間差よりも小さい場合には前記複数の測定値に同じイベント番号を付与し、前記時刻差が前記指定時間差以上である場合には前記複数の測定値に異なるイベント番号を付与するように構築されたイベント番号付与部と、
前記複数の測定値と前記イベント番号とを紐づけた状態で前記複数の測定値を保存する測定値保存部と、
を備え、
前記トレンドグラフ表示部は、前記測定値を第一軸とし前記イベント番号を第二軸としたグラフに前記測定値保存部に保存された前記複数の測定値を描画するように構築されたプラント監視システム。
【請求項３】
前記トレンドグラフ表示部は、同じ前記イベント番号が付与された前記複数の測定値を、前記第二軸と直交する方向に並べて描画するように構築された請求項２に記載のプラント監視システム。
【請求項４】
前記トレンドグラフ表示部は、前記複数の測定値を取得時刻の順番で繋ぐ折れ線グラフを描画するように構築された請求項２または３に記載のプラント監視システム。
【請求項５】
前記トレンドグラフ表示部は、第一イベント番号が付与された複数の測定値のなかの最大値と前記第一イベント番号の次の第二イベント番号が付与された複数の測定値のなかの最大値とを結ぶ測定最大値トレンドグラフを描画するように構築された請求項２〜４のいずれか１項に記載のプラント監視システム。
【請求項６】
前記トレンドグラフ表示部は、第一イベント番号が付与された複数の測定値のなかの最小値と前記第一イベント番号の次の第二イベント番号が付与された複数の測定値のなかの最小値とを結ぶ測定最小値トレンドグラフを描画するように構築された請求項２〜５のいずれか１項に記載のプラント監視システム。
【請求項７】
前記トレンドグラフ表示部は、第一イベント番号が付与された複数の測定値のなかの平均値と前記第一イベント番号の次の第二イベント番号が付与された複数の測定値のなかの平均値とを結ぶ測定平均値トレンドグラフを描画するように構築された請求項２〜６のいずれか１項に記載のプラント監視システム。
【請求項８】
前記トレンドグラフ表示部は、同じイベント番号が付与された複数の測定値のなかの最大値と最小値とを結ぶ棒グラフを描画するように構築された請求項２〜７のいずれか１項に記載のプラント監視システム。
【請求項９】
前記トレンドグラフ表示部は、切替指示の入力操作に応答して、前記第二軸の単位を前記イベント番号と時刻との間で切り替えるように構築された請求項２〜８のいずれか１項に記載のプラント監視システム。
【請求項１０】
前記プラント機器は、電動機を含み、
前記測定値は、前記電動機が備えるモータ巻線の絶縁劣化点検で測定された電気特性値を含む請求項２〜９のいずれか１項に記載のプラント監視システム。
【請求項１１】
前記イベント番号付与部は、前記指定時間差が可変に設定されるように構築された請求項２〜１０のいずれか１項に記載のプラント監視システム。
【請求項１２】
複数の測定値を収集する測定値収集ステップと、
前記複数の測定値が取得された時刻差と予め定められた指定時間差とを比較する比較判定ステップと、
前記複数の測定値が取得された時刻差が前記指定時間差よりも小さい場合には前記複数の測定値に同じイベント番号を付与し、前記時刻差が前記指定時間差以上である場合には前記複数の測定値に異なるイベント番号を付与するように構築されたイベント番号付与ステップと、
前記複数の測定値と前記イベント番号とを紐づけた状態で前記複数の測定値を保存する測定値保存ステップと、
を備えるデータ収集方法。
【発明の詳細な説明】
【技術分野】
【０００１】
本出願は、データ収集装置、プラント監視システムおよびデータ収集方法に関するものである。
【背景技術】
【０００２】
従来、たとえば日本特開２０１９−８４３５号公報では、別々に表示されていた機器のアラーム情報とトレンドグラフをトレンドグラフの表示画面で共に表示する方法が提案されている。この公報では、横軸を測定時刻にする方法で、測定値をトレンドグラフで表示している。この公報では、機器で故障が発生し、アラームが発生した期間のトレンドグラフの表示形式を変更する方法も提案されている。
【先行技術文献】
【特許文献】
【０００３】
【特許文献１】日本特開２０１９−８４３５号公報
【発明の概要】
【発明が解決しようとする課題】
【０００４】
上記従来の技術のように横軸を測定時刻にしたトレンドグラフは、視認性が低下する場合がある。視認性が低下するケースの一例は、プラント操業停止時にしか実施できない点検作業の結果をトレンドグラフ化する場合である。【０００５】
プラント操業停止時にしか実施できない点検作業の一例は、鉄鋼プラント等で実施されているモータ巻線絶縁劣化点検である。モータ巻線絶縁劣化点検はプラント操業停止時にしか実施できず、プラント操業停止はプラントの生産計画に基づき例えば１か月に一回程度の頻度で計画される。【０００６】
このようなモータ巻線絶縁劣化試験の測定値を、横軸を測定時刻としたトレンドグラフで表示すると、視認性が低下する。横軸を測定時刻とした場合には、プラント操業停止期間には大量の測定値が描画される一方、プラント操業中は測定値が全く描画されないからである。このため、特定の時間範囲にのみ大量の測定値が描画される一方、プラント操業中の長期間に渡って測定データが空白となる。その結果、トレンドグラフの視認性が悪くなる問題があった。【０００７】
本出願は、測定データをグラフ化したときの視認性を向上させるように改良されたデータ収集装置、プラント監視システムおよびデータ収集方法を提供することを目的とする。
【課題を解決するための手段】
【０００８】
本出願にかかるデータ収集装置は、
複数の測定値を収集する測定値収集部と、
前記複数の測定値が取得された時刻の時刻差が予め定められた指定時間差よりも小さい場合には前記複数の測定値に同じイベント番号を付与し、前記時刻差が前記指定時間差以上である場合には前記複数の測定値に異なるイベント番号を付与するように構築されたイベント番号付与部と、
前記複数の測定値と前記イベント番号とを紐づけた状態で前記複数の測定値を保存する測定値保存部と、
を備える。【０００９】
本出願にかかるプラント監視システムは、
プラント機器の点検時に測定された複数の測定値を収集するデータ収集装置と、
前記データ収集装置で収集した前記複数の測定値からトレンドグラフを生成するトレンドグラフ表示部と、
を備え、
前記データ収集装置は、
前記複数の測定値を収集する測定値収集部と、
前記複数の測定値が取得された時刻の時刻差が予め定められた指定時間差よりも小さい場合には前記複数の測定値に同じイベント番号を付与し、前記時刻差が前記指定時間差以上である場合には前記複数の測定値に異なるイベント番号を付与するように構築されたイベント番号付与部と、
前記複数の測定値と前記イベント番号とを紐づけた状態で前記複数の測定値を保存する測定値保存部と、
を備え、
前記トレンドグラフ表示部は、前記測定値を第一軸とし前記イベント番号を第二軸としたグラフに前記測定値保存部に保存された前記複数の測定値を描画するように構築されたものである。【００１０】
本出願にかかるデータ収集方法は、
複数の測定値を収集する測定値収集ステップと、
前記複数の測定値が取得された時刻差と予め定められた指定時間差とを比較する比較判定ステップと、
前記複数の測定値が取得された時刻差が前記指定時間差よりも小さい場合には前記複数の測定値に同じイベント番号を付与し、前記時刻差が前記指定時間差以上である場合には前記複数の測定値に異なるイベント番号を付与するように構築されたイベント番号付与ステップと、
前記複数の測定値と前記イベント番号とを紐づけた状態で前記複数の測定値を保存する測定値保存ステップと、
を備える。
【発明の効果】
【００１１】
本出願にかかるデータ収集装置およびデータ収集方法によれば、測定時刻の時刻差に基づいて複数の測定値を関連付けし、関連付けされた測定値に同じイベント番号を付与することができる。これにより、同じ時期に測定された一まとまりの測定値をイベント番号でグルーピングすることができる。本出願にかかるプラント監視システムによれば、そのようなグルーピングが行われた測定値を、トレンドグラフにおいてイベント番号ごとに表示できるので、ユーザの視認性が向上するという利点がある。
【図面の簡単な説明】
【００１２】
【図１】実施の形態にかかるデータ収集装置およびプラント監視システムの構成を示す図である。
【図２】実施の形態にかかるデータ収集装置の動作を説明するためのフローチャートである。
【図３】実施の形態にかかるプラント監視システムで作成されるトレンドグラフの一例である。
【図４】実施の形態にかかるプラント監視システムで作成されるトレンドグラフの他の例である。
【図５】実施の形態にかかるプラント監視システムで作成されるトレンドグラフの他の例である。
【発明を実施するための形態】
【００１３】
以下の説明では、複数の測定値Ｄｎと複数の時刻ｔｎと複数のイベント番号＃ｎとを用語として用いる。添字のｎは整数である。ｎ＝１、２、・・・ｋ−１、ｋ、ｋ＋１・・・であるものとする。ｋは任意の整数である。例えば、連続した二つの時間ステップを説明するために添字ｋと添字ｋ＋１とが用いられる。
【００１４】
実施の形態のプラント監視システムは、「モータ絶縁抵抗傾向監視ツール」として提供される。モータ絶縁抵抗傾向監視ツールは、モータ巻線絶縁劣化点検のために行う絶縁抵抗計によるモータ巻線間の絶縁抵抗測定を自動で行うとともに、測定した絶縁抵抗の推移をトレンドグラフで表示するツールである。
【００１５】
図１は、実施の形態にかかるデータ収集装置１００およびプラント監視システムの構成を示す図である。図１は、プラント監視システム１０１およびデータ収集装置１００の構成とデータフローを示している。実施の形態にかかるプラント監視システム１０１は、プラント機器１０２を監視する。
【００１６】
プラント機器１０２は、電動機１０３とメガー１０４とを備えている。メガー１０４は絶縁抵抗計である。測定値Ｄｎは、電動機１０３が備えるモータ巻線絶縁劣化点検で測定された電気特性値である。実施の形態では、一例として、後述する図３〜図５のグラフにも記載されるように、測定値Ｄｎは電流値であるものとする。
【００１７】
プラント監視システム１０１は、データ収集装置１００と、トレンドグラフ表示部７と、を備える。データ収集装置１００は、プラント機器の点検時に測定された複数の測定値Ｄｎを収集する。トレンドグラフ表示部７は、データ収集装置１００で収集した複数の測定値Ｄｎからトレンドグラフを生成する。
【００１８】
データ収集装置１００は、測定値収集部１と、イベント番号付与部２と、測定値保存部４と、を備える。測定値収集部１は、複数の測定値Ｄｎを自動収集する。
【００１９】
具体的には、測定値収集部１で、プラント操業中、もしくはプラント操業停止時に自動的、もしくは手動で点検作業が実施されることにより得られる測定値Ｄｎを収集する。実施の形態では、プラント操業停止時に自動的にモータ巻線間の絶縁抵抗測定が行われ、測定値Ｄｎが収集されるものとする。
【００２０】
まず、測定値収集部１が新たな測定値Ｄｋ＋１を収集する。測定値収集部１は新たな測定値Ｄｋ＋１と新たな測定値Ｄｋ＋１を収集した測定時刻ｔｋ＋１とを、測定値グルーピング部２ａに伝達する。実施の形態にかかるプラント監視システムでは、測定値収集部１で新たに収集したモータ巻線間の絶縁抵抗の値を測定値グルーピング部２ａに伝達している。
【００２１】
イベント番号付与部２は、複数の測定値Ｄｋ、Ｄｋ＋１が取得された時刻の時刻差ΔＴを算出する。イベント番号付与部２は、時刻差ΔＴが予め定められた指定時間差Ｔｔｈよりも小さい場合には、複数の測定値Ｄｋ、Ｄｋ＋１に同じイベント番号＃ｋを付与する。イベント番号付与部２は、時刻差ΔＴが指定時間差Ｔｔｈ以上である場合には、複数の測定値Ｄｋ、Ｄｋ＋１それぞれに異なるイベント番号＃ｋ、＃ｋ＋１を付与する。
【００２２】
具体的には、実施の形態にかかるイベント番号付与部２は測定値グルーピング部２ａと、イベント番号生成部２ｂと、イベント番号保存部２ｃと、設定ファイル２ｄとを含んでいる。測定値グルーピング部２ａが新たな測定値Ｄｋ＋１と新たな測定時刻ｔｋ＋１とを測定値収集部１から受け取ると、測定値グルーピング部２ａは設定ファイル２ｄから予め設定されたイベント番号変更条件を読み出す。イベント番号変更条件は、指定時間差Ｔｔｈを含む。
【００２３】
測定値保存部４は、複数の測定値Ｄｎとイベント番号＃ｎとを紐づけた状態で複数の測定値Ｄｎを保存する。具体的には、測定値グルーピング部２ａが新たな測定値Ｄｋ＋１と測定時刻ｔｋ＋１とを測定値収集部１から受け取ると、測定値グルーピング部２ａは測定値保存部４から前回の測定時刻ｔｋを読み出す。
【００２４】
測定値グルーピング部２ａは、前記処理により得られたそれぞれのデータから、新たな測定時刻ｔｋ＋１と前回の測定時刻ｔｋとの時刻差ΔＴを算出する。測定値グルーピング部２ａは、この時刻差ΔＴとイベント番号変更条件の指定時間差Ｔｔｈとを比較する。
【００２５】
測定間の時刻差ΔＴがイベント番号変更条件の指定時間差Ｔｔｈよりも小さい場合（つまりΔＴ＜Ｔｔｈ）、測定値グルーピング部２ａはイベント番号生成部２ｂにイベント番号を変更しないようにイベント番号設定フラグＦ（Ｆ＝０）を伝達する。測定間の時刻差ΔＴがイベント番号変更条件の指定時間差Ｔｔｈ以上である場合（つまりΔＴ≧Ｔｔｈ）、測定値グルーピング部２ａはイベント番号生成部２ｂにイベント番号を変更（更新）するようにイベント番号設定フラグＦ（Ｆ＝１）を伝達する。
【００２６】
イベント番号生成部２ｂが測定値グルーピング部２ａからイベント番号設定フラグＦを受け取ると、イベント番号生成部２ｂは測定値保存部４から前回の測定値Ｄｋのイベント番号＃ｋを読み出す。
【００２７】
イベント番号生成部２ｂがイベント番号のインクリメントを指示するイベント番号設定フラグＦ（Ｆ＝１）を受け取った場合には、イベント番号生成部２ｂはイベント番号＃ｋに１を加算する。イベント番号生成部２ｂは、更新後のイベント番号＃ｋ＋１をイベント番号保存部２ｃに送る。
【００２８】
これに対し、イベント番号生成部２ｂがイベント番号の保持を指示するイベント番号設定フラグＦ（Ｆ＝０）を受け取った場合には、イベント番号生成部２ｂはイベント番号＃ｋを保持する。イベント番号生成部２ｂは、イベント番号＃ｋをイベント番号保存部２ｃに送る。
【００２９】
イベント番号保存部２ｃは、イベント番号生成部２ｂから測定値Ｄｋ＋１のためのイベント番号を受け取る。受け取るイベント番号は、上述したように、＃ｋと＃ｋ＋１のいずれか一方である。イベント番号保存部２ｃは、イベント番号生成部２ｂから送られてきたイベント番号に従って、新たな測定値Ｄｋ＋１に＃ｋと＃ｋ＋１のいずれか一方のイベント番号を付与する。
【００３０】
測定値保存部４とトレンドグラフ表示部７は、有線通信ネットワークまたは無線通信ネットワークを介して接続されている。ユーザからトレンドグラフ表示要求があったときには、トレンドグラフ表示部７は測定値保存部４から複数の測定値Ｄｎと複数の測定時刻ｔｎと複数のイベント番号＃ｎとを読み出す。
【００３１】
トレンドグラフ表示部７の起動時に、測定値保存部４とトレンドグラフ表示部７とが自動的に通信を行ってもよい。具体的には、過去に測定された測定値（モータ巻線間絶縁抵抗を算出するための電流値）とメガー１０４による測定時刻ｔｎとイベント番号＃ｎとが記録されている電子ファイルが受け渡され、その電子ファイルの内容が自動的に読み込まれる。
【００３２】
なお、実施の形態にかかるプラント監視システムでは、２種類のソフトウェアに分けて図１中の各機能が実装されている。測定値収集部１と測定値グルーピング部２ａと設定ファイル２ｄと測定値保存部４とイベント番号生成部２ｂとイベント番号保存部２ｃは、第一ソフトウェア上に実装されている。トレンドグラフ表示部７は、第二ソフトウェア上に実装している。第一ソフトウェアと第二ソフトウェアは別の電子計算機にインストールされている。第一ソフトウェアがインストールされた電子計算機は、データ収集装置１００を構成する。第二ソフトウェアがインストールされた電子計算機は、トレンドグラフ表示部７を構成する。
【００３３】
図２は、実施の形態にかかるデータ収集装置１００の動作を説明するためのフローチャートである。図２のルーチンでは、まず、ステップＳ１００（測定値収集ステップ）において、新たな測定値Ｄｋ＋１が収集される。次に、ステップＳ１０１でイベント番号変更条件（指定時間差Ｔｔｈ）が読み出される。
【００３４】
次に、ステップＳ１０２で、新たな測定値Ｄｋ＋１の測定時刻ｔｋ＋１と前回の測定値Ｄｋの測定時刻ｔｋとに基づいて、下記の式（１）に従って時刻差ΔＴが算出される。
ΔＴ＝ｔｋ＋１−ｔｋ    ・・・（１）
【００３５】
次に、ステップＳ１０３（比較判定ステップ）において、時刻差ΔＴと指定時間差Ｔｔｈとが比較される。比較結果に応じて、イベント番号付与ステップ（ステップＳ１０４〜Ｓ１０６、Ｓ１０８〜Ｓ１０９）が実行される。ステップＳ１０３では、時刻差Δｔが指定時間差Ｔｔｈ以上である場合（ΔＴ≧Ｔｔｈ）には、ステップＳ１０４とＳ１０５とＳ１０６とがこの順に実行される。ステップＳ１０３では、時刻差Δｔが指定時間差Ｔｔｈよりも小さい場合（ΔＴ＜Ｔｔｈ）には、ステップＳ１０８とＳ１０５とＳ１０９とがこの順に実行される。
【００３６】
ステップＳ１０３の判定結果がΔＴ≧Ｔｔｈであれば、ステップＳ１０４とＳ１０５とＳ１０６とがこの順に実行される。この一連のステップでは、時刻差ΔＴが指定時間差Ｔｔｈ以上なので、測定値Ｄｋにはイベント番号＃ｋが付与され、測定値Ｄｋ＋１にはイベント番号＃ｋ＋１が付与される。具体的には、ステップＳ１０４でイベント番号設定フラグがＦ＝１に設定され、これに応じて前回のイベント番号＃ｋの読み出し（ステップＳ１０５）および加算（ステップＳ１０６）が行われる。
【００３７】
ステップＳ１０３の判定結果がΔＴ＜Ｔｔｈであれば、ステップＳ１０８とＳ１０５とＳ１０９とがこの順に実行される。この一連のステップでは、時刻差ΔＴが指定時間差Ｔｔｈより小さいので、複数の測定値Ｄｋ、Ｄｋ＋１に同じイベント番号＃ｋが付与される。具体的には、ステップＳ１０８でイベント番号設定フラグがＦ＝０に設定され、これに応じて前回のイベント番号＃ｋの読み出し（ステップＳ１０５）および保持（ステップＳ１０９）が行われる。
【００３８】
測定値保存ステップ（ステップＳ１０７、Ｓ１１０）は、複数の測定値Ｄｎとイベント番号＃ｎとを紐づけた状態で複数の測定値Ｄｎを保存する。具体的には、ステップＳ１０６の次のステップＳ１０７においては、今回の測定値Ｄｋ＋１が、時刻ｔｋ＋１および更新後のイベント番号＃ｋ＋１と紐付けられて保存される。また、ステップＳ１０９の次のステップＳ１１０においては、今回の測定値Ｄｋ＋１が、時刻ｔｋ＋１および前回のイベント番号＃ｋと紐付けられて保存される。
【００３９】
その後、今回のルーチンが終了し、処理がリターンする。図２のルーチンが繰り返し実行されることで、新たな測定値Ｄｋ＋２、Ｄｋ＋３・・・についても同様のデータ処理が行われる。
【００４０】
ここで、実施の形態の技術背景を説明する。一般に鉄鋼プラントなどの各種プラントでは、各種プラント機器の点検作業が実施される。点検作業により、プラント操業を継続的に安定して行うことができる。プラント操業中に点検作業を実施できない点検対象機器あるいは点検種類がある。たとえば鉄鋼プラントでは、製品の生産計画に基づき１か月に一回程度の頻度でプラント操業が停止される。このプラント操業停止中に、プラント操業中に実施できない点検作業が実施される。
【００４１】
鉄鋼プラントで実施されるモータ巻線絶縁劣化点検は、プラント操業停止の一因となりうるモータの地絡事故を防止するための重要な点検作業である。インバータなどからモータ端子に繋がる電源配線を外した上で、メガー（すなわち絶縁抵抗計）により、モータ端子間に高電圧を印可して絶縁抵抗を測定する作業が行われる。これは、プラント操業中には実施できない作業である。モータ巻線絶縁劣化点検はプラント操業停止時にしか実施できず、プラント操業停止はプラントの生産計画に基づき１か月に一回程度の頻度で計画される。
【００４２】
測定値により点検結果の良否を判定する方法では、一回の点検作業間の測定値により点検対象機器の良否を判定している。しかし、ゆるやかに故障の兆候は表れていたものの判定基準上では不良とはならないケースもあり、このようなケースでは故障に気付きにくい問題がある。
【００４３】
このようなケースでは突然に故障が発生するおそれが高く、故障が発生してしまうとプラント操業に影響が出てしまう。対策としては、測定値を長期間にわたって保存することで故障の兆候を捉える方法が考えられる。規則に基づいて測定値の推移傾向を機械的に分析することで、機器の故障兆候を捉え、ユーザに通知するという技術が考えられる。
【００４４】
しかしながら、測定値の推移傾向を機械的に分析して機器の故障兆候を捉える技術を確立することは、技術的な課題も多い。例えば測定結果に外乱が多く発生する場合は、十分な精度で故障兆候を捉えることが技術的に難しい。そこで、長期間にわたって保存した測定値をトレンドグラフで視覚化することで、ユーザが故障を事前に予測しやすくする方法が考えられる。実施の形態にかかるトレンドグラフ表示部７は、このような視覚化ニーズを満たすことができる。
【００４５】
（第一比較例）
モータ巻線絶縁劣化試験の測定値を、横軸を測定時刻としたトレンドグラフで表示する第一比較例が考えられる。この第一比較例では、横軸を測定時刻としたグラフにおいて、プラント操業停止期間には大量の測定値が描画される一方、プラント操業中は測定値が全く描画されない。このため、特定の時間範囲にのみ大量の測定値が描画される一方、プラント操業中の長期間に渡って測定データが空白となる。その結果、トレンドグラフの視認性が悪くなる問題があった。
【００４６】
（第二比較例）
複数の測定値と複数のイベント番号とを一対一で対応づけしたうえで、横軸をイベント番号としたトレンドグラフを作成する第二比較例が考えられる。この場合、横軸が時間ではなくイベント番号となるので、プラント操業中の空白期間がトレンドグラフから省略される。従って、上記の第一比較例のような測定値の偏りを抑制することはできる。しかしながら、一回のプラント操業停止期間に実施された複数の点検結果は互いに関連性があるので、本来ならばグルーピングしておくことが好ましい。第二比較例では、イベント番号が順次付与されることで、関連性のある測定値のまとまりが消滅してしまうおそれがある。その結果、トレンドグラフに基づいて故障兆候を発見するための利便性が低下するという問題があった。
【００４７】
上記第二比較例には他の観点からの問題もある。モータ巻線絶縁劣化点検は、たとえば絶縁抵抗計によりモータ巻線の相間に高電圧を印可した状態で、電流値の測定および抵抗値の算出を行うものである。モータ巻線絶縁劣化点検項目の一つに、モータ巻線の温度依存性がある。プラント操業停止直後のモータ巻線温度が高い状態での高温測定値と、プラント操業停止から時間が経ちモータ巻線温度が気温近くまで下がった状態での常温測定値とを比較できるように、トレンドグラフを表示することが好ましい。しかし、上記第二比較例のようなイベント番号表示ではこのような温度情報が欠落してしまうため、直感的な比較を行いにくいという欠点がある。
【００４８】
実施の形態では、上述した比較例の問題を解決するために、複数の測定値Ｄｎのうち測定時刻ｔｎがある程度近い測定値については同じイベント番号＃ｎを付与することでグルーピングが行われている。グルーピングされた測定値Ｄｎをグラフ上でわかりやすくまとめて表示することで、視認性を高めることができる。また、実施の形態では、上記第二比較例とは異なり、測定時刻ｔｎとイベント番号＃ｎとが別々に記憶されている。よって上記の第二比較例とは異なり、実施の形態では、イベント単位での時系列情報のみならず、個々の測定時刻という精密な時間情報も記録保持できるという利点がある。
【００４９】
図３は、実施の形態にかかるプラント監視システムで作成されるトレンドグラフの一例である。図３は、個々の測定結果に着眼したトレンドグラフ表示方法を示している。なお、図３および後述する図４および図５では、測定値Ｄｎは電流値であるものとする。この電流測定値を予め定めた換算式で換算することによって、絶縁抵抗の値を算出することができる。絶縁抵抗値をトレンドグラフに表示するモードが設けられてもよい。
【００５０】
トレンドグラフ表示部７は、測定値Ｄｎを第一軸としイベント番号＃ｎを第二軸とした図３のグラフに、測定値保存部４に保存された複数の測定値Ｄｎを描画する。実施の形態では、第一軸が縦軸であり第二軸が横軸であるｘｙ直交座標グラフが作成される。
【００５１】
実施の形態にかかるプラント監視システムでは、トレンドグラフ表示部７が実装されたツールのＧＵＩ（グラフィカルユーザーインターフェース）ボタンを押下すると、トレンドグラフウィンドウ８を含む画面が表示される。トレンドグラフウィンドウ８内には、トレンドグラフ表示エリア９と縦軸凡例１０と縦軸範囲１１と横軸凡例１２と横軸範囲１３とが表示される。トレンドグラフ表示エリア９内には、縦軸範囲１１と横軸範囲１３に従って、モータ巻線間電流値とイベント番号＃ｎとを２次元座標上にプロットしたトレンドグラフが表示される。
【００５２】
実施の形態にかかるプラント監視システムでは、プラント毎の操業停止時間の相違に合わせて、イベント番号変更条件が設定されてもよい。イベント番号変更条件は、具体的には指定時間差Ｔｔｈである。
【００５３】
イベント番号付与部２は、指定時間差Ｔｔｈに異なる複数の値が設定されるように構築されてもよい。プラント毎の操業停止時間の相違に合わせて、大きさが異なる複数の指定時間差Ｔｔｈ１、Ｔｔｈ２、Ｔｔｈ３・・・が選択的に使用されてもよい。設置されたプラント操業停止時間に応じて、適切な指定時間差Ｔｔｈを設定することができる。
【００５４】
一回のプラント操業停止時間内で、モータ巻線間の絶縁抵抗の値が複数回にわたって自動測定される。図３のトレンドグラフでは、イベント番号＃１内における最大測定値プロット１４と最小測定値プロット１５とが直線で結ばれている。また、イベント番号＃１内の最終測定値プロット１６と次のイベント番号＃２内の初回測定値プロット１７とが直線で結ばれている。
【００５５】
イベント番号＃ｎを横軸としてトレンドグラフを表示した場合、測定時刻ｔｎを正確に確認できない。そこで、実施の形態では、表示形式切替ボタン１８が押下された場合には、横軸を時刻に変更する処理が実行される（図５参照）。横軸を時刻に変更した後に表示形式切替ボタン１８を再度押下すると、横軸をイベント番号＃Ｄｎに戻すこともできる。
【００５６】
測定時刻の時刻差ΔＴに基づいて複数の測定値Ｄｎを関連付けし、関連付けされた測定値Ｄｎに同じイベント番号＃ｎを付与することができる。これにより、トレンドグラフにおいて互いに関連のある測定値Ｄｎをイベント番号＃ｎごとに表示できるので、ユーザが直感的に測定結果を把握することができる。
【００５７】
また、点検間隔が長期間にわたるような点検項目について時間軸上に測定値Ｄｎを並べる単純な時系列データ表示とすると、時間軸上に複数の測定値Ｄｎのかたまりが離散的に存在することになる。その結果、視認性が低下してしまう。この点、イベント番号＃ｎごとに測定値Ｄｎをまとめることで、視認性を高めて直感的な理解が容易なトレンドグラフを描画することができる。
【００５８】
図３に示すように、トレンドグラフ表示部７は、同じイベント番号＃ｎが付与された複数の測定値Ｄｎを、横軸と直交する方向（つまり縦軸と平行な方向）に並べて描画するように構築されてもよい。
【００５９】
同じイベント番号＃ｎが付与された複数の測定値Ｄｎを他のイベント番号＃ｎが付与された複数の測定値ｎから区別するトレンドグラフ表示方法は、様々に変形されてもよい。変化例の一つとして、同じイベント番号＃ｎが付与された複数の測定値Ｄｎを、他のイベント番号＃ｎが付与された複数の測定値ｎから第二軸において互いに離間させることで、これらを区別してもよい。これはグラフ上で測定値の空間的配置を離間させるトレンドグラフ表示方法であり、図３に示す例もこのトレンドグラフ表示方法の一種である。
【００６０】
変化例の一つとして、グラフ上での記号を相違させるトレンドグラフ表示方法が用いられてもよい。これは、同じイベント番号＃ｎが付与された複数の測定値Ｄｎを第一記号でグラフに記入し、他のイベント番号＃ｎが付与された複数の測定値ｎを第一記号でとは異なる第二記号でグラフに記入することで、これらを区別するトレンドグラフ表示方法である。
【００６１】
変化例の他の一つとして、グラフ上での表示色を相違させるトレンドグラフ表示方法が用いられてもよい。これは、同じイベント番号＃ｎが付与された複数の測定値Ｄｎを第一の色で描画し、他のイベント番号＃ｎが付与された複数の測定値ｎを第一の色とは異なる第二の色で描画することで、これらを区別するトレンドグラフ表示方法である。
【００６２】
なお、グラフ上の空間的配置を離間させるグルーピング方法と、異なる記号を用いるグルーピング方法と、異なる色を用いるグルーピング方法とのうち二つ以上の方法を組み合わせてもよい。
【００６３】
トレンドグラフ表示部７は、図３に示すように、複数の測定値Ｄｎを取得時刻の順番で繋ぐ折れ線グラフを描画するように構築されてもよい。
【００６４】
図４は、実施の形態にかかるプラント監視システムで作成されるトレンドグラフの他の例である。図４は、最大値と最小値と平均値とに着眼したトレンドグラフ表示方法を示している。
【００６５】
モータ巻線絶縁劣化点検の点検項目の一つに、モータ巻線の温度依存性がある。測定値の温度依存性を視認できるようにトレンドグラフを表示することが好ましい。すなわち、測定値には、プラント操業停止直後のモータ巻線温度が高い状態での高温測定値と、プラント操業停止から時間が経ちモータ巻線温度が気温近くまで下がった状態での低温測定値とが含まれる。温度依存性を視認できるように、高温測定値と低温測定値とを区別して視認できることが好ましい。
【００６６】
そのためには、イベント内で測定した最大値と最小値と平均値それぞれに着眼して推移を監視することが好ましい。そこで、図４に示すように、イベント内測定値範囲１９と測定最大値トレンドグラフ２０と測定平均値トレンドグラフ２１と測定最小値トレンドグラフ２２とのうち少なくとも一つを表示する処理がトレンドグラフ表示部７に実装されてもよい。
【００６７】
図４に示すように、トレンドグラフ表示部７は、測定最大値トレンドグラフ２０を描画するように構築されてもよい。実施の形態では、一例として、測定最大値トレンドグラフ２０が、第一イベント番号＃ｎが付与された複数の測定値Ｄｎのなかの最大値と第一イベント番号＃ｎの次の第二イベント番号＃ｎが付与された複数の測定値Ｄｎのなかの最大値とを結んでいる。変形例として、各々の最大値データに基づいて、近似曲線などのフィッティング関数あるいは移動平均線などの各種の統計グラフを作成し、これを近似的な測定最大値トレンドグラフとして用いても良い。
【００６８】
図４に示すように、トレンドグラフ表示部７は、測定最小値トレンドグラフ２２を描画するように構築されてもよい。実施の形態では、一例として、測定最小値トレンドグラフ２２が、第一イベント番号＃ｎが付与された複数の測定値Ｄｎのなかの最小値と第一イベント番号＃ｎの次の第二イベント番号＃ｎが付与された複数の測定値Ｄｎのなかの最小値とを結んでいる。変形例として、各々の最小値データに基づいて、近似曲線などのフィッティング関数あるいは移動平均線などの各種の統計グラフを作成し、これを近似的な測定最小値トレンドグラフとして用いても良い。
【００６９】
図４に示すように、トレンドグラフ表示部７は、測定平均値トレンドグラフ２１を描画するように構築されてもよい。実施の形態では、一例として、測定平均値トレンドグラフ２１が、第一イベント番号＃ｎが付与された複数の測定値Ｄｎのなかの平均値と第一イベント番号＃ｎの次の第二イベント番号＃ｎが付与された複数の測定値Ｄｎのなかの平均値とを結んでいる。変形例として、各々の平均値データに基づいて、近似曲線などのフィッティング関数あるいは移動平均線などの各種の統計グラフを作成し、これを近似的な測定平均値トレンドグラフとして用いても良い。
【００７０】
図４に示すように、トレンドグラフ表示部７は、イベント内測定値範囲１９を描画するように構築されてもよい。イベント内測定値範囲１９は、同じイベント番号＃ｎが付与された複数の測定値Ｄｎのなかの最大値と最小値とで決まる範囲を表している。イベント内測定値範囲１９によれば、一つのイベントのなかで測定値がどの程度変化したのかを視認することができる。イベント内測定値範囲１９は、一例として図４に示すような棒グラフであってもよい。
【００７１】
図５は、実施の形態にかかるプラント監視システムで作成されるトレンドグラフの他の例である。図５の横軸範囲１３ａの目盛は時刻ｔｎである。トレンドグラフ表示部７は、表示形式切替ボタン１８を介した切替指示の入力操作に応答して、横軸の単位をイベント番号＃ｎと時刻との間で可逆的に切り替えるように構築されてもよい。
【００７２】
なお、実施の形態においては、説明の便宜上、添字ｎを用いて説明したが、測定値Ｄｎと時刻ｔｎとイベント番号＃ｎとの間で添字ｎの値が同期しているとは限らない。イベント番号＃ｎの個数は測定値Ｄｎおよび時刻ｔｎの個数に比べて十分に少なくなることがある。例えば多数の測定値Ｄｋ−１、Ｄｋ、Ｄｋ＋１・・・が一つのイベント番号＃ｋに紐付けられる場合があるからである。
【００７３】
実施の形態では、一例として、測定値Ｄｎはモータ巻線絶縁劣化点検で測定された電気特性値とされている。具体的には、実施の形態にかかる測定値Ｄｎは電流値である。しかしながら、実施の形態にかかるデータ収集装置１００およびプラント監視システム１０１は様々な種類のデータ収集に転用することができ、測定値Ｄｎは多種多様に変形されることが可能である。測定値Ｄｎは、モータ巻線絶縁劣化点検ではない他の点検項目における測定値であってもよい。測定値Ｄｎは、電気特性値以外の他の物理特性値（例えば熱的特性値、機械的特性値、磁気的特性値、化学的特性値その他の特性値）であってもよい。
【符号の説明】
【００７４】
１  測定値収集部、２  イベント番号付与部、２ａ  測定値グルーピング部、２ｂ  イベント番号生成部、２ｃ  イベント番号保存部、２ｄ  設定ファイル、４  測定値保存部、７  トレンドグラフ表示部、８  トレンドグラフウィンドウ、９  トレンドグラフ表示エリア、１０  縦軸凡例、１１  縦軸範囲、１２  横軸凡例、１３、１３ａ  横軸範囲、１４  最大測定値プロット、１５  最小測定値プロット、１６  最終測定値プロット、１７  初回測定値プロット、１８  表示形式切替ボタン、１９  イベント内測定値範囲、２０  測定最大値トレンドグラフ、２１  測定平均値トレンドグラフ、２２  測定最小値トレンドグラフ、１００  データ収集装置、１０１  プラント監視システム、１０２  プラント機器、１０３  電動機、１０４  メガー、Ｆ  イベント番号設定フラグ、Ｔｔｈ  指定時間差、ΔＴ  時刻差
【図１】
2020261383.tif 000003
【図２】
2020261383.tif 000004
【図３】
2020261383.tif 000005
【図４】
2020261383.tif 000006
【図５】
2020261383.tif 000007
【国際調査報告】
2020261383.tif 000008
2020261383.tif 000009